(57)【要約】【課題】  補強材を埋設するパネルの製造における発泡断熱心材の充填及び発泡を円滑に行い、パネル内の発泡性の断熱心材の密度を均一にすることができる断熱パネルを提供する。【解決手段】  一対の表面板３と、これら表面板３の辺部間に介在される枠材４と、両表面板３及び枠材４にて形成される空間内に注入充填される断熱心材５と、一方の表面板３の内面に当接すると共に一端が断熱心材５内に埋設される補強材６とで構成される断熱パネルＰにおいて、補強材６を、一方の表面板の内面に当接可能な基板６１と、基板６１の一辺から断熱パネルＰの厚さ方向に延設される垂直板６３と、垂直板６３の先端から外方に向かって表面板３と平行に延設される水平板６４とで形成すると共に、垂直板６３及び水平板６４に複数の切込み部６２を設ける。【選択図】    図１
2005194810.tif 000002
【特許請求の範囲】
【請求項１】
一対の表面板と、これら表面板の辺部間に介在される枠材と、上記両表面板及び枠材にて形成される空間内に、注入充填される断熱心材と、上記一方の表面板の内面に当接すると共に、一端が上記断熱心材内に埋設される補強材とを具備する断熱パネルにおいて、
上記補強材は、上記一方の表面板の内面に当接可能な基板と、この基板の一辺から上記断熱パネルの厚さ方向に延設される垂直板と、この垂直板の先端から上記表面板と略平行に延設される水平板とを具備すると共に、上記垂直板及び水平板に複数の切込み部を具備する、ことを特徴とする断熱パネル。
【請求項２】
請求項１記載の断熱パネルにおいて、
上記切込み部を、上記垂直板及び水平板の両端には設けない、ことを特徴とする断熱パネル。
【請求項３】
請求項１又は２記載の断熱パネルにおいて、
上記基板に、バーリング加工とタップ加工により形成される取付ねじ受け部を形成してなる、ことを特徴とする断熱パネル。
【発明の詳細な説明】
【技術分野】
【０００１】
この発明は、例えば建築物の天井、壁あるいは床等を構成する補強材埋設型の断熱パネルに関するものである。
【背景技術】
【０００２】
一般に、建築物の天井、壁あるいは床等を構成する構造用パネルの一種として、一対の表面板間に断熱材を挟み込んだ断熱構造のものが使用されている。また、この種の断熱パネルとして、一対の表面板と、これら表面板の辺部間に介在される枠材と、両表面板及び枠材にて形成される空間内に注入充填される例えば発泡ポリウレタン等の断熱材とからなる断熱構造のものが使用されている。
【０００３】
上記断熱パネルの強度を高めるために、表面板の表面に平行な方向に延設される基板と、表面板の厚さ方向に延設される垂直板とを有する補強材を、断熱材に埋設する構造としている（例えば、特許文献１参照）。
【特許文献１】特開２００３−５６１１７（特許請求の範囲、段落番号０００２、図３）
【発明の開示】
【発明が解決しようとする課題】
【０００４】
しかしながら、特開２００３−５６１１７に記載の技術を発泡性の断熱心材を充填する断熱パネルに適用すると、パネル製造において、表面板間に断熱心材を注入充填する際に、断熱心材の液の流れが補強材によって阻害され、断熱心材を注入充填後に所定温度下で発泡・固化すると、パネル内で密度差が生じるので、表面板に痕跡ができ、断熱性の低下や美観を損ねるという問題があった。また、補強材の周辺の断熱心材に密度差が生じるので、断熱心材への補強材の食い込み強度が低下するなどの問題があった。また、特に反応速度の速い断熱心材を使用した場合に、上記の問題が顕著に表れるという問題があった。
【０００５】
この発明は、上記事情に鑑みてなされたもので、パネル製造における発泡性の断熱心材の注入充填及び発泡を円滑に行い、パネル内の断熱心材の密度を均一にすることができる断熱パネルを提供することを目的とする。
【課題を解決するための手段】
【０００６】
上記課題を解決するために、この発明は、一対の表面板と、これら表面板の辺部間に介在される枠材と、上記両表面板及び枠材にて形成される空間内に、注入充填される断熱心材と、上記一方の表面板の内面に当接すると共に、一端が上記断熱心材内に埋設される補強材とを具備する断熱パネルにおいて、  上記補強材は、上記一方の表面板の内面に当接可能な基板と、この基板の一辺から上記断熱パネルの厚さ方向に延設される垂直板と、この垂直板の先端から上記表面板と略平行に延設される水平板とを具備すると共に、上記垂直板及び水平板に複数の切込み部を具備する、ことを特徴とする（請求項１）。
【０００７】
この発明において、上記切込み部は、垂直板及び水平板に複数設けられるものであれば、その形状は任意でよいが、好ましくは垂直板及び水平板の両端部には設けない方がよい（請求項２）。また、上記基板に、バーリング加工とタップ加工により形成される取付ねじ受け部を形成する方が好ましい（請求項３）。
【発明の効果】
【０００８】
この発明の断熱パネル用補強材は、上記のように構成されているので、以下のような効果が得られる。
【０００９】
（１）請求項１記載の発明によれば、補強材の垂直板及び水平板に複数の切込み部を設けることによって、パネル製造において表面板間への断熱心材の充填及び発泡を円滑に行うことができ、パネル内の発泡材密度を均一にすることができるので、補強板の断熱心材への食い込み強度を確保すると共に、パネルの断熱性の向上を図ることができ、かつ、パネルの美観の向上を図ることができる。
【００１０】
（２）請求項２記載の発明によれば、補強材の切込み部を、垂直板及び水平板の両端部には設けないことで、垂直板及び水平板を幅広に断熱心材内に埋設することができるので、上記（１）に加えて更に、補強板の断熱心材への食い込み強度を向上することができる。
【００１１】
（３）請求項３記載の発明によれば、基板に、バーリング加工とタップ加工により取付ねじ受け部を一体に形成することにより、パネルの取り付けを容易にすることができる。
【発明を実施するための最良の形態】
【００１２】
以下に、この発明の最良の実施形態を添付図面に基づいて詳細に説明する。
【００１３】
図１は、この発明における断熱パネルを天井パネルとして使用した場合の連結部を示す断面図（ａ）及び、（ａ）のＩ−Ｉ線に沿う断面図（ｂ）、図２は、この発明における補強材を示す平面図、図３は、図２のII−II線に沿う断面図、図４は、図２のIII−III線に沿う断面図、図５は、この発明における補強材の斜視図である。
【００１４】
この発明の断熱パネルＰ（以下にパネルＰという）は、図１に示すように、一対の表面板３と、これら表面板３の辺部間に介在される枠材４と、両表面板３及び枠材４にて形成される空間内に充填される例えば発泡ポリウレタン等の発泡性の断熱心材５（以下に心材５という）と、パネルＰの所定の部位例えば角部に配置され、一方の表面板３の内面に当接すると共に一端が心材５内に埋設される補強材６とで主に構成されている。
【００１５】
上記表面板３は、例えばアルミニウム製合金によって一定規格の大きさの薄板状に形成されており、各辺には対向する表面板３に向かって垂直に折曲される端部折曲片３１が形成されている（図１参照）。
【００１６】
上記枠材４は、図１に示すように、接合される一方のパネルＰの一対の表面板３の辺部間に、その長手方向に沿って略断面台形状に形成される係合凸条４１と、接合される他方のパネルＰの一対の表面板３の辺部間に、上記係合凸条４１と嵌合（係合）し得る断面が略逆台形状の係合凹条４２が形成されている。これら枠材４の係合凸条４１及び係合凹条４２の両端には、両表面板３に対して垂直に延在すると共に、表面板３の端部折曲片３１が嵌合可能な嵌合溝４４を有する垂直片４３が連続的に形成されている。また、上記垂直片４３の端部から表面板３に対して平行に屈曲されて表面板３の内面に当接する端片４５が連続的に形成されている。なお、上記枠材４は、合成樹脂製部材にて押出形成されている。
【００１７】
一方、上記補強材６は、図１において上方の表面板３の内面に当接可能な矩形状の基板６１と、この基板６１の一辺すなわち枠材４に隣接しない辺からパネルＰの厚さ方向（パネルの内方）に屈曲して延設される垂直板６３と、この垂直板６３の先端から外方に表面板３に対して平行に屈曲して延設される水平板６４とで一体に形成されている。また、補強材６の垂直板６３及び水平板６３には、両端を残した内方側に略コ字状の複数（例えば、２個）の切込み部６２が設けられている（図１、図２参照）。なお、切込み部６２の数は３個以上であってもよい。また、基板６１は必ずしも矩形状である必要はなく、例えば台形状等であってもよい。また、切込み部６２の形状も略コ字状に限定されるものではなく、例えば略Ｕ字状に形成してもよい。
【００１８】
また、基板６１の所定位置には、例えばバーリング加工とタップ加工によって形成された取付ねじ受け部６５が形成されている。このように形成される取付ねじ受け部６５には、後述する連結ボルト２０が螺着されることで、パネルＰを天井部に取り付けることができる。
【００１９】
また、補強材６は、図２及び図３に示すように、基板６１の上記垂直板６３及び水平板６４が形成されない辺すなわち枠材４側に位置する辺に、基板６１が当接している表面板３から離れる方向に段部６６を形成し、この段部６６から表面板３と平行に延在して上記枠材４の端片４５が係止可能な係止受け部６７が形成されている。なお、補強材６は、例えば亜鉛性鉄板をプレス加工することによって形成されている。
【００２０】
上記のように補強材６を形成することで、心材５の液をパネルＰ内に充填する際に、心材５の液が切込み部６２を通るので、心材５の液をパネルＰ内に均一に充填することができる。また、心材５を発泡する際に、心材５が切込み部６２を通って垂直板６３及び水平板６４の両面で発泡することができるので、パネルＰ内の補強材６周辺の発泡密度を均一にすることができ、パネルＰの断熱性の向上を図ると共に、パネルＰの美観の向上を図ることができ、かつ、心材５への補強板６の食い込み強度を確保することができる。また、補強材６に係止受け部６７を形成することで、枠材４の端片４５を係止受け部６７と表面板３とで挟持することができ、枠材４の固定を強固にすることができる。
【００２１】
次に、この発明の断熱パネルＰを天井パネルに使用した場合の天井構造について説明する。
【００２２】
天井構造は、図１に示すように、天井を構成する位置に下地材として配置されるレール１に、連結金具２を介してこの発明の断熱パネルＰが取り付けられている。
【００２３】
上記レール１は、例えばアルミニウム製合金の押出形材にて形成され、図１に示すように、上下方向に延在するウエブ１１と、このウエブ１１の上下各端から横方向における一方の側に突出する上側フランジ１２及び下側フランジ１３と、これら各フランジ１２，１３の先端部から互いに近づく方向に突出する上側リブ１４及び下側リブ１５とによって、断面がＣ字状に形成されている。なお、上記レール１は、図示しない吊持手段によって躯体（天井スラブ）から吊り下げられている。
【００２４】
上記連結金具２は、例えばアルミニウム製合金の押出形材にて形成され、図１に示すように、レール１におけるウエブ１１に沿うように形成された第１壁部２１と、上側リブ１４から下側リブ１５にわたってこれらのリブ１４，１５に沿うように形成された第２壁部２４と、第１壁部２１及び第２壁部２４の上端部に連結され、上側フランジ１２に沿うように形成された水平壁部２７と、第１壁部２１の他端から第２壁部２４の反対方向に直角に屈曲する第１脚部２２と、第１脚部２２の先端から上方に直角に屈曲する第１リブ２３と、第２壁部２４の下端から第１壁部２１の反対方向に直角に屈曲する第２脚部２５と、この第２脚部２５の先端から上方に直角に屈曲する第２リブ２６とによって一体に形成されている。
【００２５】
上記のように形成された連結金具２は、レール１の断面におけるウエブ１１、上側フランジ１２、上側リブ１４、下側リブ１５を外側からコ字状に囲むようにして、下側フランジ１３の下面に当接するパネルＰに設けられた上記取付ねじ受け部６５に螺着される連結ボルト２０によって固定されるようになっている。また、連結金具２の第１壁部２１と、レール１のウエブ１１とは、ねじ１６によって固定されている。なお、上記レール１の下側リブ１５とパネルＰの表面板３との当接部の周縁部には、シール部材１０が装填され、気水密性の維持が図られている。
【００２６】
なお、レール１及び連結金具２は、上記で説明した形状のものに限られず、例えば、図６に示すように、レール１Ａを、断面略Ｔ字状の基部１６と、この基部１６の下部水平片１７の端部に起立する係止起立片１８とを具備した形状とし、また、連結金具２Ａを、パネルＰの表面板３に当接する取付基部２８と、レール１Ａの下部水平片１７に設けられた係止起立片１８を嵌合するための係止溝部２９とを具備して形成した形状でとしてもよい。
【００２７】
なお、上記実施形態では、補強材６をパネルＰの角部に配置する場合について説明したが、角部以外に例えば、パネルＰの所定の辺部にピース状に配置してもよく、あるいは、所定の辺部全域に配置してもよい。
【００２８】
なお、上記実施形態では、この発明の断熱パネルＰを天井パネルに使用した場合について説明したが、天井パネル以外に例えば壁パネルや床パネル等にも使用できることは勿論である。
【図面の簡単な説明】
【００２９】
【図１】この発明における断熱パネルを天井パネルとして使用した場合の連結部を示す断面図（ａ）及び、（ａ）のＩ−Ｉ線に沿う断面図（ｂ）である。
【図２】この発明における補強材を示す平面図である。
【図３】図２のII−II線に沿う断面図である。
【図４】図２のIII−III線に沿う断面図である。
【図５】この発明における補強材を示す斜視図である。
【図６】この発明における断熱パネルを天井パネルとして使用した場合の連結部の変形例を示す断面図である。
【符号の説明】
【００３０】
Ｐ  断熱パネル
３  表面板
４  枠材
５  断熱心材
６  補強材
６１  基板
６２  切込み部
６３  垂直板
６４  水平板
６５  取付ねじ受け部
【図１】
2005194810.tif 000003
【図２】
2005194810.tif 000004
【図３】
2005194810.tif 000005
【図４】
2005194810.tif 000006
【図５】
2005194810.tif 000007
【図６】
2005194810.tif 000008